(57)【特許請求の範囲】
【請求項１】
リボンと、リボンがロール状に巻き付けられた繰出ロールと、リボンを巻き取る巻取ロールとを有するリボンユニットを梱包する梱包体において、
外箱と、
外箱内に収納され、リボンユニットを保持する保持体と、を備え、
保持体は、底板と、底板に連結され、繰出ロールの両端面に対向する一対の弾性保持部とを有し、
各弾性保持部は、互いに折り曲げられて連結された複数の弾性保持パネルを含み、
保持体の底板は、外箱に連結されていることを特徴とする梱包体。
【請求項２】
各弾性保持部は、２つの弾性保持パネルからなり、逆Ｖ字状の断面を有していることを特徴とする請求項１に記載の梱包体。
【請求項３】
保持体の底板と外箱の底板との間に、印画紙がロール状に巻き付けられた印画紙ロールが収納されることを特徴とする請求項１または２に記載の梱包体。
【請求項４】
リボンと、リボンがロール状に巻き付けられた繰出ロールと、リボンを巻き取る巻取ロールとを有するリボンユニットを梱包する梱包体において、
対向する一対の外箱側板を有する外箱と、
リボンユニットを保持する保持体と、を備え、
保持体は、繰出ロールの両端面に対向する一対の弾性保持部を有し、
各弾性保持部は、対向する一対の外箱側板にそれぞれ連結されていることを特徴とする梱包体。
【請求項５】
リボンユニットの下方に、印画紙がロール状に巻き付けられた印画紙ロールが収納されることを特徴とする請求項４に記載の梱包体。
【発明の詳細な説明】
【技術分野】
【０００１】
本発明は、リボンと、リボンがロール状に巻き付けられた繰出ロールと、リボンを巻き取る巻取ロールとを有するリボンユニットを梱包する梱包体に係り、とりわけ、リボンユニットに損傷が与えられることを防止可能な梱包体に関する。
【背景技術】
【０００２】
一般に、昇華転写プリンターでは、そのプリンター専用のインクリボンと印画紙（受像紙）が使用される。このため、印画紙がロール状に巻き付けられた印画紙ロールと、インクリボンがロール状に巻き付けられた繰出ロール、およびインクリボンを巻き取る巻取ロールを有するインクリボンユニットとが、セットとして、一つの梱包体に梱包されて輸送されている（例えば、特許文献１参照）。
【先行技術文献】
【特許文献】
【０００３】
【特許文献１】特開２００９−５１５４２号公報
【発明の概要】
【発明が解決しようとする課題】
【０００４】
しかしながら、インクリボンの繰出ロールの巻径より印画紙ロールの巻径が大きいため、これらを梱包する梱包体は、印画紙ロールを中心に設計されている。このため、インクリボンの繰出ロールの梱包形態が、必ずしも最適化されているとは言い難かった。また、特許文献１においては、インクリボンの繰出ロールを収納する収納箱が外箱内に嵌合されて、収納箱が外箱に対して相対移動することを防止しているが、例えば、落下した時のように大きな衝撃力が負荷された場合には、インクリボンに損傷が与えられる可能性があった。
【０００５】
本発明は、このような点を考慮してなされたものであり、インクリボンユニットに損傷が与えられることを防止可能な梱包体を提供することを目的とする。
【課題を解決するための手段】
【０００６】
本発明は、第１の解決手段として、リボンと、リボンがロール状に巻き付けられた繰出ロールと、リボンを巻き取る巻取ロールとを有するリボンユニットを梱包する梱包体において、外箱と、外箱内に収納され、リボンユニットを保持する保持体と、を備え、保持体は、底板と、底板に連結され、繰出ロールの両端面に対向する一対の弾性保持部とを有し、各弾性保持部は、互いに折り曲げられて連結された複数の弾性保持パネルを含んでいることを特徴とする梱包体を提供する。
【０００７】
なお、上述した第１の解決手段による梱包体において、各弾性保持部は、２つの弾性保持パネルからなり、逆Ｖ字状の断面を有していることが好ましい。
【０００８】
また、上述した第１の解決手段による梱包体において、保持体は、底板に連結され、各弾性保持部の弾性保持パネルの端縁にそれぞれ当接自在な一対の側板を更に有していることが好ましい。
【０００９】
また、上述した第１の解決手段による梱包体において、保持体は、一方の側板に連結され、リボンユニットを覆う上板を更に有していることが好ましい。
【００１０】
また、上述した第１の解決手段による梱包体において、保持体の底板は、外箱に連結されていることが好ましい。
【００１１】
また、上述した第１の解決手段による梱包体において、保持体の底板と外箱の底板との間に、印画紙がロール状に巻き付けられた印画紙ロールが収納されることが好ましい。
【００１２】
本発明は、第２の解決手段として、リボンと、リボンがロール状に巻き付けられた繰出ロールと、リボンを巻き取る巻取ロールとを有するリボンユニットを梱包する梱包体において、対向する一対の外箱側板を有する外箱と、リボンユニットを保持する保持体と、を備え、保持体は、繰出ロールの両端面に対向する一対の弾性保持部を有し、各弾性保持部は、対向する一対の外箱側板にそれぞれ連結されていることを特徴とする梱包体を提供する。
【００１３】
なお、上述した第２の解決手段による梱包体において、リボンユニットの下方に、印画紙がロール状に巻き付けられた印画紙ロールが収納されることが好ましい。
【発明の効果】
【００１４】
本発明によれば、インクリボンがロール状に巻き付けられた繰出ロールの両端面に弾性保持部が対向するように、リボンユニットが梱包される。このことにより、繰出ロールの軸方向に与えられる衝撃を確実に吸収することができ、リボンユニットに損傷が与えられることを防止することができる。
【図面の簡単な説明】
【００１５】
【図１】図１は、本発明の第１の実施の形態における梱包体において、リボンユニットを梱包した状態を示す側方断面図。
【図２】図２は、本発明の第１の実施の形態における梱包体において、リボンユニットを梱包した状態を示す上方断面図。
【図３】図３は、本発明の第１の実施の形態において、リボンユニットを示す側面図。
【図４】図４は、本発明の第１の実施の形態において、外箱用の外箱ブランク板を示す図。
【図５】図５は、本発明の第１の実施の形態において、保持体用の保持体ブランク板を示す図。
【図６】図６は、本発明の第１の実施の形態において、保持体ブランク板を折り曲げた状態を示す図。
【図７】図７は、本発明の第１の実施の形態において、折り曲げられた保持体にリボンユニットを載置した状態を示す図。
【図８】図８は、本発明の第１の実施の形態において、保持体上板が閉じられた状態を示す図。
【図９】図９は、本発明の第２の実施の形態において、外箱用の外箱ブランク板を示す図。
【図１０】図１０は、本発明の第３の実施の形態において、外箱用の外箱ブランク板を示す図。
【発明を実施するための形態】
【００１６】
以下、図面を参照して、本発明の実施の形態における梱包体について説明する。
【００１７】
第１の実施の形態
まず、図１乃至図８を用いて、本発明の第１の実施の形態における梱包体１０について説明する。ここで、梱包体１０は、リボン２と、リボン２がロール状に巻き付けられた繰出ロール３と、リボン２を巻き取る巻取ロール４とを有するリボンユニット（図３参照）１を梱包するためのものである。ここで、リボン２は、例えば、イエロー、マゼンタ、シアンからなる三色のインクリボン、イエロー、マゼンタ、シアン、ブラックからなる四色のインクリボン、または保護フィルムからなる保護リボンからなっている。あるいは、リボン２は、三色のインクに保護フィルムが追加されたタイプのリボン、または四色のインクに保護フィルムが追加されたタイプのリボンからなっていても良い。また、図３に示す本実施の形態においては、繰出ロール３と巻取ロール４との間に緩衝シート５が介在され、リボンユニット１全体が、クッション性を有する包装シート６で覆われて、リボンユニット１は梱包体１０に梱包されるようになっている。なお、図３に示すような緩衝シート５を用いることなく、繰出ロール３と巻取ロール４を包装シート６で覆うようにしてもよい。
【００１８】
図１および図２に示すように、梱包体１０は、外箱２０と、外箱２０内に収納され、２つのリボンユニット１を保持する保持体３０とを備えている。このうち、外箱２０は、外箱底板２１と、４つの外箱側板２２と、外箱上板２３とを有し、直方体状に形成されている。
【００１９】
保持体３０は、矩形状の保持体底板（底板）３１と、保持体底板３１に連結され、リボンユニット１の繰出ロール３の両端面３ａに対向する一対の弾性保持部３２とを有している。このうち、各弾性保持部３２は、繰出ロール３の端面３ａに沿う方向に延びる山折線５３（図５参照）に沿って互いに折り曲げられて連結された２つの弾性保持パネル３３からなっており、図１において、逆Ｖ字状の断面を有している。
【００２０】
また、保持体３０は、保持体底板３１に連結され、各弾性保持部３２の弾性保持パネル３３の端縁３３ａにそれぞれ当接自在な一対の保持体側板（側板）３３を更に有している。なお、外箱２０内に保持体３０を収納させた場合、保持体側板３４の外面は、対応する外箱側板２２の内面に当接するようになっており、繰出ロール３の端面３ａに沿う方向において、保持体３０が、外箱２０内で移動することを防止している。
【００２１】
保持体３０の一方の保持体側板３４には、リボンユニット１の上方を覆う保持体上板３５が連結されている。この保持体上板３５の保持体側板３４とは反対側の縁部に、２つの切欠部３６（図５参照）が設けられており、梱包体１０の開封時に保持体上板３５を開ける場合の作業性を向上させている。
【００２２】
次に、図４を用いて、外箱２０用の外箱ブランク板４０について説明する。外箱ブランク板４０は、板紙からなり、４つの外箱側板２２と、一の外箱側板２２に連結され、組立時に対応する外箱側板２２に接着剤等により接合される折返パネル４１とを有している。各外箱側板２２には、外箱底板２１を構成する４つの底板フラップ４２と、外箱上板２３を構成する４つの上板フラップ４３とがそれぞれ連結されている。このようにして、外箱２０は、一体に形成された外箱ブランク板４０から作製されるようになっている。
【００２３】
続いて、図５を用いて、保持体３０用の保持体ブランク板５０について説明する。保持体ブランク板５０は、板紙からなり、保持体底板３１と、保持体底板３１の対向する端縁に連結され、弾性保持部３２を構成する４つの弾性保持パネル３３とを有している。また、保持体底板３１の他の対向する端縁には、一対の保持体側板３４が連結されており、保持体側板３４と弾性保持パネル３３との間には、切込線５１（実線で図示）がそれぞれ設けられている。さらに、一対の保持体側板３４のうち一方の保持体側板３４に、保持体上板３５が連結されている。この保持体上板３５には、上述した切欠部３６が設けられている。なお、図５に示されている破線は、谷折り状に折り曲げる谷折線５２を表しており、一点鎖線は、山折り状に折り曲げる山折線５３を表している。ここで、谷折線５２および山折線５３は、プレス加工により形成されていてもよく、あるいは、ミシン目状もしくはハーフカット状に形成されていても良い。
【００２４】
次に、このような構成からなる本実施の形態の作用、すなわちリボンユニット１を梱包する方法について説明する。
【００２５】
まず、図４に示す外箱ブランク板４０、および図５に示す保持体ブランク板５０を準備する。
【００２６】
続いて、外箱ブランク板４０から外箱２０が組み立てられる。この場合、まず、外箱側板２２と折返パネル４１とが互いに折り曲げられ、折返パネル４１と対応する一の外箱側板２２とが接着剤等により接合される。次に、底板フラップ４２が外箱側板２２に対して折り曲げられて閉じられ、接着テープ（図示せず）により底板フラップ４２同士が貼り付けられ、外箱底板２１が形成される。
【００２７】
また、図６に示すように、保持体ブランク板５０から保持体３０が組み立てられる。この場合、保持体底板３１に対して、弾性保持パネル３３が谷折り状に折り曲げられ、弾性保持パネル３３同士が、山折り状に折り曲げられる。また、一対の保持体側板３４が、保持体底板３１に対して、谷折り状に折り曲げられる。
【００２８】
次に、図７に示すように、組み立てられた保持体３０に、２つのリボンユニット１が保持される。この場合、リボンユニット１の繰出ロール３の端面３ａが弾性保持部３２に対向するように、リボンユニット１が保持体底板３１上に載置される。
【００２９】
続いて、図８に示すように、保持体上板３５が、保持体側板３４に対して折り曲げられ、保持体上板３５により、リボンユニット１の上方が覆われる。
【００３０】
次に、リボンユニット１と共に、保持体３０が、外箱２０内に収納される。
【００３１】
その後、外箱２０の上板フラップ４３が折り曲げられて閉じられ、外箱上板２３が形成され、図示しない接着テープにより上板フラップ４３同士が貼り付けられる。このようにして、リボンユニット１が梱包体１０に梱包される（図１および図２参照）。
【００３２】
ところで、梱包体１０からリボンユニット１を取り出す場合には、まず、接着テープが剥がされ、上板フラップ４３が開けられる。続いて、リボンユニット１と共に保持体３０が外箱２０から取り出される。その後、保持体上板３５を開けることにより、リボンユニット１を取り出すことができる。この場合、保持板上板３４に切欠部３６が設けられていることにより、保持板上板３４を容易に開けることができる。
【００３３】
このように本実施の形態によれば、リボンユニット１の繰出ロール３の端面３ａに一対の弾性保持部３２が対向するように、リボンユニット１が梱包される。このことにより、繰出ロール３の軸方向に与えられる衝撃を確実に吸収することができ、リボンユニット１に損傷が与えられることを防止することができる。
【００３４】
また、本実施の形態によれば、弾性保持部３２を、互いに折り曲げられた弾性保持パネル３３によって構成することにより、リボンユニット１に損傷を与えることを防止可能な梱包体１０の構造を簡素化することができると共に、リボンユニット１の梱包作業の効率を向上させることができる。
【００３５】
また、本実施の形態によれば、各弾性保持部３２が、互いに折り曲げられて連結された２つの弾性保持パネル３３からなり、逆Ｖ字状の断面を有していると共に、各弾性保持パネル３３の両端縁３３ａが、対応する保持体側板３４の内面に当接している。このことにより、各弾性保持部３２が、繰出ロール３の端面３ａに沿う方向に負荷される力に対する補強部材として機能し、当該方向における梱包体１０の強度を向上させることができる。
【００３６】
さらに、本実施の形態によれば、梱包体１０に梱包されたリボンユニット１の上方が、保持体上板３５により覆われている。このことにより、梱包体１０にリボンユニット１が梱包された場合、リボンユニット１と外箱上板２３との間に保持体上板３５が介在され、外箱上板２３をカッター等により開封する際に、リボン２が破損することを防止することができる。
【００３７】
なお、本実施の形態においては、弾性保持部３２が、互いに折り曲げて連結された２つの弾性保持パネル３３により構成されている例について説明した。しかしながらこのことに限られることはなく、弾性保持部３２は、３つ以上の弾性保持パネル３３を折り曲げて構成され、蛇腹状に形成されていても良い。この場合、繰出ロール３の軸方向に与えられる衝撃の吸収能力をより一層向上させることができる。
【００３８】
また、本実施の形態においては、２つのインクリボンユニット１が梱包される例について説明したが、このことに限られることはなく、梱包されるインクリボンユニットの数は、任意とすることができる。
【００３９】
第２の実施の形態
次に、図９により、本発明の第２の実施の形態における梱包体について説明する。
【００４０】
図９に示す第２の実施の形態における梱包体において、保持体底板が、外箱に連結されている点が主に異なり、他の構成は、図１乃至図８に示す第１の実施の形態と略同一である。なお、図９において、図１乃至図８に示す第１の実施の形態と同一部分には同一符号を付して詳細な説明は省略する。
【００４１】
図９に示すように、本実施の形態における外箱ブランク板６０においては、４つの外箱側板２２のうち対向する一対の外箱側板２２の一方の外箱側板２２に、外箱上板２３を構成する上板フラップ４３が連結され、他方の外箱側板２２に、保持体３０の保持体底板３１が、連結板６１を介して、連結されている。このようにして、保持体底板３１が、外箱２０に連結されている。なお、各弾性保持パネル３３の端縁３３ａは、対応する外箱側板２２の内面にそれぞれ当接するようになっている。
【００４２】
また、本実施の形態における梱包体１０は、印画紙がロール状に巻き付けられた印画紙ロール（図示せず）が収納されるようになっている。すなわち、連結板６１は、外箱側板２２の高さ寸法より小さい高さ寸法を有し、組み立てられた場合に、保持体３０の保持体底板３１と外箱２０の外箱底板２１との間に、印画紙ロールを収納可能な空間を形成するようになっている。
【００４３】
図９に示す外箱ブランク板６０を組み立てて、リボンユニット１を梱包する場合、まず、外箱側板２２と折返パネル４１とが互いに折り曲げられ、折返パネル４１と対応する一の外箱側板２２とが接着剤等により接合される。次に、底板フラップ４２が外箱側板２２に対して折り曲げられて閉じられ、接着テープ（図示せず）により底板フラップ４２同士が貼り付けられ、外箱底板２１が形成される。その後、外箱２０の外箱底板２１に、印画紙ロールが載置される。
【００４４】
次に、保持体底板３１に対して、弾性保持パネル３３が谷折り状に折り曲げられると共に、弾性保持パネル３３同士が、山折り状に折り曲げられる。続いて、連結板６１が、外箱側板２２および保持体底板３１に対して折り曲げられる。その後、保持体３０に、リボンユニット１が保持される。この場合、リボンユニット１の繰出ロール３の端面３ａが弾性保持部３２に対向するように、保持体底板３１にリボンユニット１が載置される。
【００４５】
次に、外箱２０の上板フラップ４３が折り曲げられて閉じられ、外箱上板２３が形成され、図示しない接着テープにより外箱上板２３が外箱側板２２に貼り付けられる。このようにして、リボンユニット１および印画紙ロールが梱包体１０に梱包される。
【００４６】
このように本実施の形態によれば、リボンユニット１の繰出ロール３の端面３ａに一対の弾性保持部３２が対向するように、リボンユニット１が梱包される。このことにより、繰出ロール３の軸方向に与えられる衝撃を確実に吸収することができ、リボンユニット１に損傷が与えられることを防止することができる。
【００４７】
また、本実施の形態によれば、各弾性保持部３２が、互いに折り曲げられて連結された２つの弾性保持パネル３３からなり、逆Ｖ字状の断面を有していると共に、各弾性保持パネル３３の両端縁３３ａが、対応する外箱側板２２の内面に当接している。このことにより、各弾性保持部３２が、繰出ロール３の端面３ａに沿う方向に負荷される力に対する補強部材として機能し、当該方向における梱包体１０の強度を向上させることができる。
【００４８】
さらに、本実施の形態によれば、保持体３０の保持体底板３１と外箱２０の外箱底板２１との間に、印画紙ロールが収納される。このことにより、損傷が与えられることを防止可能に収納されたリボンユニット１と共に、印画紙ロールをも収納することができる。
【００４９】
なお、本実施の形態においては、保持体３０の保持体底板３１と外箱２０の外箱底板２１との間に、印画紙ロールが収納される例について説明した。しかしながら、このことに限られることはなく、連結板６１が、外箱側板２２の高さ寸法と同程度の高さ寸法を有し、組み立てられた場合に、保持体３０の保持体底板３１が外箱２０の外箱底板２１に当接するようにし、印画紙ロールを収納することなく、リボンユニット１を収納するようにしてもよい。
【００５０】
第３の実施の形態
次に、図１０により、本発明の第３の実施の形態における梱包体について説明する。
【００５１】
図１０に示す第３の実施の形態における梱包体において、保持体が、一対の弾性保持部を有し、各弾性保持部が、対応する外箱側板にそれぞれ連結されている点が主に異なり、他の構成は、図１乃至図８に示す第１の実施の形態と略同一である。なお、図１０において、図１乃至図８に示す第１の実施の形態と同一部分には同一符号を付して詳細な説明は省略する。
【００５２】
図１０に示すように、本実施の形態における外箱ブランク板７０においては、対向する一対の外箱側板２２に、外箱上板２３を構成する上板フラップ４３が連結されている。さらに、対向する他の一対の外箱側板２２に、保持体８０を構成する弾性保持部８２がそれぞれ連結されている。すなわち、当該外箱側板２２に、弾性保持部８２が、第１連結板７１および第２連結板７２を介してそれぞれ連結されている。
【００５３】
また、本実施の形態における梱包体１０は、印画紙がロール状に巻き付けられた印画紙ロール（図示せず）が収納されるようになっている。すなわち、第１連結板７１は、外箱側板２２の高さ寸法より小さい高さ寸法を有し、組み立てられた場合に、第２連結板７２と外箱２０の外箱底板２１との間に空間が形成され、保持体３０の弾性保持部８２により保持されるリボンユニット１の下方に、印画紙ロールを収納するようになっている。
【００５４】
各弾性保持部８２は、繰出ロール３の端面３ａに沿う方向に延びる山折線８５に沿って互いに折り曲げられて連結された２つの弾性保持パネル８３からなっており、図１に示すように、逆Ｖ字状の断面を有している。各弾性保持パネル８３の端縁８３ａは、対応する外箱側板２２の内面にそれぞれ当接するようになっている。なお、図１０に示されている破線は、谷折り状に折り曲げる谷折線８４を表しており、一点鎖線は、山折り状に折り曲げる山折線８５を表している。ここで、谷折線８４および山折線８５は、プレス加工により形成されていてもよく、あるいは、ミシン目状もしくはハーフカット状に形成されていても良い。
【００５５】
図１０に示す外箱ブランク板７０を組み立てて、リボンユニット１を梱包する場合、まず、外箱側板２２と折返パネル４１とが互いに折り曲げられ、折返パネル４１と対応する一の外箱側板２２とが接着剤等により接合される。次に、底板フラップ４２が外箱側板２２に対して折り曲げられて閉じられ、接着テープ（図示せず）により底板フラップ４２同士が貼り付けられ、外箱底板２１が形成される。その後、外箱２０の外箱底板２１に、印画紙ロールが載置される。
【００５６】
次に、弾性保持パネル８３同士が、山折り状に折り曲げられると共に、第１連結板７１および第２連結板７２が、外箱側板２２および弾性保持パネル８３に対して折り曲げられる。その後、保持体８０に、リボンユニット１が保持される。この場合、リボンユニット１の繰出ロール３の端面３ａが弾性保持部８２に対向するように、印画紙ロール上にリボンユニット１が載置される。このことにより、リボンユニット１が、一対の弾性保持部８２からなる保持体８０により保持される。なお、リボンユニット１は、印画紙ロール上に、例えば板紙からなる介在板を介在させて、載置させるようにしてもよい。
【００５７】
その後、外箱２０の上板フラップ４３が折り曲げられて閉じられ、外箱上板２３が形成され、図示しない接着テープにより上板フラップ４３同士が貼り付けられる。このようにして、リボンユニット１および印画紙ロールが梱包体１０に梱包される。
【００５８】
このように本実施の形態によれば、リボンユニット１の繰出ロール３の端面３ａに一対の弾性保持部８２が対向するように、リボンユニット１が梱包される。このことにより、繰出ロール３の軸方向に与えられる衝撃を確実に吸収することができ、リボンユニット１に衝撃が与えられることを防止することができる。
【００５９】
また、本実施の形態によれば、各弾性保持部８２が、互いに折り曲げられて連結された２つの弾性保持パネル８３からなり、逆Ｖ字状の断面を有していると共に、各弾性保持パネル８３の両端縁８３ａが、対応する外箱側板２２の内面に当接している。このことにより、各弾性保持部８２が、繰出ロール３の端面３ａに沿う方向に負荷される力に対する補強部材として機能し、当該方向における梱包体１０の強度を向上させることができる。
【００６０】
さらに、本実施の形態によれば、保持体８０により保持されるリボンユニット１の下方に、印画紙ロールが収納される。このことにより、損傷が与えられることを防止可能に収納されたリボンユニット１と共に、印画紙ロールをも収納することができる。
【００６１】
なお、本実施の形態においては、リボンユニット１の下方に、印画紙ロールが収納される例について説明した。しかしながら、このことに限られることはなく、第１連結板７１が、外箱側板２２の高さ寸法と同程度の高さ寸法を有し、組み立てられた場合に、第２連結板７２が外箱２０の外箱底板２１に当接するようにし、印画紙ロールを収納することなく、リボンユニット１を収納するようにしてもよい。
【００６２】
以上、本発明による実施の形態について説明してきたが、当然のことながら、本発明の要旨の範囲内で、これらの実施の形態を、部分的に、適宜組み合わせることも可能である。また、これらの本実施の形態においては、本発明の要旨の範囲内で、種々の変形も可能である。
【符号の説明】
【００６３】
１      リボンユニット
２      リボン
３      繰出ロール
３ａ    端面
４      巻取ロール
５      緩衝シート
６      包装シート
１０    梱包体
２０    外箱
２１    外箱底板
２２    外箱側板
２３    外箱上板
３０    保持体
３１    保持体底板
３２    弾性保持部
３３    弾性保持パネル
３３ａ  端縁
３４    保持体側板
３５    保持体上板
３６    切欠部
４０    外箱ブランク板
４１    折返パネル
４２    底板フラップ
４３    上板フラップ
５０    保持体ブランク板
５１    切込線
５２    谷折線
５３    山折線
６０    外箱ブランク板
６１    連結板
７０    外箱ブランク板
７１    第１連結板
７２    第２連結板
８０    保持体
８２    弾性保持部
８３    弾性保持パネル
８３ａ  端縁
８４    谷折線
８５    山折線
【図１】
0005641409.tif 000002
【図２】
0005641409.tif 000003
【図３】
0005641409.tif 000004
【図４】
0005641409.tif 000005
【図５】
0005641409.tif 000006
【図６】
0005641409.tif 000007
【図７】
0005641409.tif 000008
【図８】
0005641409.tif 000009
【図９】
0005641409.tif 000010
【図１０】
0005641409.tif 000011